(57)【特許請求の範囲】
【請求項１】
水をはじきにくい用紙に、水濡れ感知用マークを水溶性染料を含有した水無平版用印刷インキを使用して水無平版印刷した水濡れ感知印刷物であって、水に触れると前記水溶性染料が印刷部分から溶出し、前記用紙における非印刷部分に滲みだすものであることを特徴とする水濡れ感知印刷物。
【請求項２】
水をはじきにくい用紙に、水濡れ感知用マークを水溶性染料及び隠蔽用顔料を含有した水無平版用印刷インキを使用して水無平版印刷した水濡れ感知印刷物であって、水に触れると前記水溶性染料が印刷部分から溶出し、前記用紙における非印刷部分に滲みだすものであることを特徴とする水濡れ感知印刷物。
【請求項３】
水濡れを嫌う機器内部に貼着され、水濡れ感知に使用されるものであることを特徴とする請求項１、または請求項２記載の水濡れ感知印刷物。
【発明の詳細な説明】
【０００１】
【発明の属する技術分野】
本発明は、水濡れを嫌う機器内部に貼着されて、水濡れ感知に使用される水濡れ感知印刷物に関する。
【０００２】
【従来の技術】
雨等が機器内部に浸透し、故障が発生しやすい携帯電話等の電子機器や精密機器において、メーカーの製品保証期間内に故障が発生して修理を行なう際に、その故障の原因を特定し、メーカーの保証責任の有無を判別する必要がある。そのため、故障の原因となった水濡れの経緯の確認が必要とされるが、その故障が製品出荷後における水との接触により発生したか否かを判別する最適な方法がこれまで無かった。
【０００３】
【発明が解決しようとする課題】
本発明は、水濡れ等により故障が発生しやすい携帯電話等の電子機器や精密機器の内部に貼着されて、製品出荷後における水濡れを感知することを可能とする印刷物の提供を課題とする。
【０００４】
【課題を解決するための手段】
本発明の水濡れ感知印刷物は、水をはじきにくい用紙に、水濡れ感知用マークを水溶性染料を含有した水無平版用印刷インキを使用して水無平版印刷した水濡れ感知印刷物であって、水に触れると前記水溶性染料が印刷部分から溶出し、前記用紙における非印刷部分に滲みだすものであることを特徴とする。
【０００５】
本発明の水濡れ感知印刷物は、水をはじきにくい用紙に、水濡れ感知用マークを水溶性染料及び隠蔽用顔料を含有した水無平版用印刷インキを使用して水無平版印刷した水濡れ感知印刷物であって、水に触れると前記水溶性染料が印刷部分から溶出し、前記用紙における非印刷部分に滲みだすものであることを特徴とする。
【０００６】
上記の水濡れ感知印刷物が、水濡れを嫌う機器内部に貼着され、水濡れ感知に使用されるものであることを特徴とする。
【０００７】
【発明の実施の形態】
本発明における水無平版用印刷インキは、樹脂、溶剤、植物油、水溶性染料または水溶性染料及び隠蔽用顔料、助剤であるドライヤー、界面活性剤等からなる。
【０００８】
樹脂としては、ロジン変性フェノール樹脂、アルキッド樹脂、石油樹脂等が挙げられ、インキ中、２０重量％〜３０重量％の含有量とされる。
【０００９】
また、溶剤としては、パラフィン系、イソパラフィン系、ナフテン系、芳香族系、α−オレフィン系溶剤であって、沸点範囲が２００〜４００℃のものであり、インキ中、１０重量％〜３０重量％の含有量とされる。
【００１０】
植物油としては、アマニ油、オイシチカ油、綿実油、サフラワー油、大豆油、トール油、脱水ヒマシ油、桐油等が挙げられ、更にこれらの重合体及びこれらの構成成分てある脂肪酸が挙げられ、インキ中、１０重量％〜２５重量％の含有量とされる。
【００１１】
本発明の水無平版用印刷インキにおいては、着色剤としては水溶性染料単独でもよいが、好ましくは隠蔽用顔料と共に使用することにより水濡れ感知の確認を容易とすることができる。
【００１２】
水溶性染料は、水に触れると印刷部分から溶出し、用紙における非印刷部分に滲みだし、水濡れを視覚で感知することを可能とするものであり、インキ中に分散性を有するものであれば使用できる。安全性の観点から食用色素の使用が好ましく、例えば食用黄色４号、食用赤色１０４号、同３号、食用青色１号、同２号等が挙げられる。インキ中の水溶性染料の含有量は２重量％〜３０重量％、好ましくは５重量％〜１５重量％であり、２重量％より少ないと発色濃度が不足し、３０重量％を越えると水溶性染料のインキ中への均一分散性が困難となる。
【００１３】
隠蔽用顔料としては、インキ塗膜中に分散している水溶性染料の色を隠し、水濡れをした時に水溶性染料が分離し、水溶性染料の色を際立たせることを可能とするものであり、インキ用顔料として公知の無機顔料、有機顔料を使用できるが、隠蔽性の観点からはカーボンブラック等の墨色またはこれに近い色が効果的である。顔料のインキ中における含有量としては１重量％〜３０重量％、好ましくは１．６重量％〜１５重量％であり、１重量％より少ないと隠蔽性が充分でなく、３０重量％を越えるとインキ中への分散性や印刷適性を確保することが困難となる。
【００１４】
なお、水溶性染料と隠蔽性顔料とのインキ中における総含有量としては、３重量％〜４０重量％、好ましくは７重量％〜３０重量％とするとよい。
【００１５】
また、助剤としては、界面活性剤、ドライヤー等が挙げられる。界面活性剤は、水に濡れた際に水溶性染料の溶出を一層容易にするために、必要に応じて添加される。界面活性剤として従来公知のアニオン系、カチオン系、ノニオン系界面活性剤が挙げられ、例えばポリオキシエチレングリコールオレイルエステル、ドデシルベンゼンスルフォン酸ナトリウム、ポリオキシエチレンアルキルアミン等である。界面活性剤の添加量としては、インキ中、５重量％以下であり、５重量％を越えると印刷時に地汚れを起こしやすく好ましくない。
【００１６】
ドライヤーは、インキ乾燥性の向上を目的に添加されるものであり、例えば日本触媒（株）マンガンドライヤー、コバルトドライヤー等が挙げられる。ドライヤーの添加量としては、インキ中、５重量％以下であり、５重量％を越えると印刷機つぼ上の膜はりやローラー上でのインキ安定性に難があり好ましくない。
【００１７】
また、水溶性染料の分散性の改良と、インキ粘度の経時的安定性を目的として、上述したインキ組成におけるビヒクルとして、特開平８−６００５８号公報で開示されるロジン変性フェノール樹脂とイソホロンジイソシアネートウレチジオン誘導体との反応物、またはロジン変性フェノール樹脂と植物油との混合物とイソホロンジイソシアネートウレチジオン誘導体との反応物を使用することができる。
【００１８】
本発明の水濡れ感知印刷物における用紙としては、水をはじきにくい、例えば上質紙、普通紙、塗工量の少ない用紙を使用するとよい。
【００１９】
本発明の水濡れ感知印刷物は、上記の水無平版用印刷インキを印刷して得られるが、その版材には水なし平版が使用される。これは非画線部分がシリコンゴム層で構成され、その離型性を利用するもので、湿し水を使用しないようにしたものである。このような版材としては、ＴＡＰ版〔東レ（株）製〕があり、平凹版として版深の深いものを使用すると着肉量を増やす点で有用である。また、印刷機としては、従来公知の多色オフセット印刷機を使用でき、枚葉グラビア印刷や活版印刷等と比較して印刷の高速化と共に、印刷精度の向上が可能である。
以下、実施例により具体的に説明する。
【００２０】
【実施例】
0003606493.tif 000002
の組成を、３本ロールを用いて分散させることによりインキタックが１１〜１１．５である水無平版用印刷インキを調製した。
【００２１】
（印刷）
上記で調製した水無平版用印刷インキの印刷適性と、水濡れ感知特性を評価するために、オフセット印刷機（リスロン２６型印刷機、小森コーポレーション製）に、円形輪状の着肉部構成した水濡れ感知用マークを製版、刷版したＴＡＰ版（東レ（株）製）を取付け印刷した。用紙はサンフラワー１２８．５ｇ／ｍ２  （新王子製紙（株）製）を使用し、版面温度２７〜３２℃、印刷速度８０００ｒｐｈで５０００枚印刷した。
【００２２】
得られた印刷物を４８時間放置した後、印刷部を水を含ませた綿棒で擦ることにより水を着け、非印刷部である白色部が染料により着色する度合いを確認したところ、水がついた部分の印刷部から赤色の水溶性染料が滲みだし、白色部に赤く滲み出し、水濡れを感知しうるものであることが確認された。
【００２３】
【発明の効果】
本発明の水濡れ感知印刷物は、水濡れ等により故障が発生しやすい携帯電話等の電子機器や精密機器の内部に貼着されて、製品出荷後における水濡れを感知することを可能とするもので、その故障の原因を特定するのに有用である。